(57)【要約】    【課題】      所望チャネルの受信性能を向上させるパス選択装置及びパス選択方法を提供すること。    【解決手段】  上位パス検出部１０２は、遅延プロファイル作成部１０１にて作成された各セルの遅延プロファイルから上位パスを検出する。オフセット算出部１０５、オフセット加算部１０３は、所望チャネルを復調した時に得られる受信性能を考慮し、各セルの遅延プロファイルから検出された上位パスの電力レベルに加算するオフセットを算出し加算する。パス選択部１０４は、オフセット加算後の上位パスからフィンガ割り当てパスを選択する。  【選択図】      図１
2005333216.tif 000002
【特許請求の範囲】
【請求項１】
セル毎に遅延プロファイルを作成する手段と、前記作成された各セルの遅延プロファイルから上位パスを検出する手段と、所望チャネルを復調した時に得られる受信性能を考慮し前記各セルの遅延プロファイルから検出された上位パスの電力レベルに加算するオフセットを算出し加算する手段と、前記オフセット加算後の上位パスからフィンガ割り当てパスを選択する手段と、を具備することを特徴とするパス選択装置。
【請求項２】
前記オフセットを算出し加算する手段は、各セルから受信する所望チャネルの同期検波に用いる位相推定値の信頼度に基づいて前記各セルの遅延プロファイルから検出される上位パスの電力レベルに加算するオフセットを算出し加算することを特徴とする請求項１記載のパス選択装置。
【請求項３】
前記オフセットを算出し加算する手段は、各セルから受信するパイロットチャネルと所望チャネルの受信電力レベル比に基づいて前記各セルの遅延プロファイルから検出される上位パスの電力レベルに加算するオフセットを算出し加算することを特徴とする請求項１記載のパス選択装置。
【請求項４】
請求項１から請求項３のいずれかに記載のパス選択装置を具備することを特徴とする通信端末装置。
【請求項５】
請求項１から請求項３のいずれかに記載のパス選択装置を具備することを特徴とする基地局装置。
【請求項６】
セル毎に遅延プロファイルを作成する工程と、前記作成された各セルの遅延プロファイルから上位パスを検出する工程と、所望チャネルを復調した時に得られる受信性能を考慮し前記各セルの遅延プロファイルから検出された上位パスの電力レベルに加算するオフセットを算出し加算する工程と、前記オフセットを加算後各セルの上位パスからフィンガ割り当てパスを選択する工程と、を具備することを特徴とするパス選択方法。
【請求項７】
前記オフセットを算出し加算する工程では、各セルから受信する所望チャネルの同期検波に用いる位相推定値の信頼度に基づいて前記各セルの遅延プロファイルから検出される上位パスの電力レベルに加算するオフセットを算出し加算することを特徴とする請求項６記載のパス選択方法。
【請求項８】
前記オフセットを算出し加算する工程では、各セルから受信するパイロットチャネルと所望チャネルの受信電力レベル比に基づいて前記各セルの遅延プロファイルから検出される上位パスの電力レベルに加算するオフセットを算出し加算することを特徴とする請求項６記載のパス選択方法。
【発明の詳細な説明】
【技術分野】
【０００１】
本発明は、ＣＤＭＡ（Code Division Multiple Access）方式を適用した移動通信システムの基地局や移動局にて用いられる受信機においてマルチパス環境下での最適パスを検出するパス選択装置及びパス選択方法に関する。
【背景技術】
【０００２】
従来、ＣＤＭＡ方式を適用した移動通信システムの基地局や移動局においてマルチパス環境下での最適パスを検出する方法として、例えば特許文献１では、通信を行っているセル毎に遅延プロファイルを作成し、上位パスの検出を行い、各セルの上位パスから電力レベルの大きいパスを選択し、Ｒａｋｅ合成を行うフィンガ部に割り当てる。その後、各フィンガ部にて前記フィンガ割り当てパスのタイミングを用いて逆拡散を行い、位相推定値を算出する。そして、前記位相推定値を用いた同期検波処理により各パスの伝搬路変動を補正し、所望チャネルのＲａｋｅ合成を行う方法が開示されている。
【特許文献１】特開平１０―１９０５２２号公報
【発明の開示】
【発明が解決しようとする課題】
【０００３】
しかしながら、従来のパス選択方法においては、各セルに対応する遅延プロファイルから検出される上位パスの電力レベルの大きさのみで判断しフィンガに割り当てるパスを選択するので、フィンガ割り当てパスのタイミングを用いて所望チャネルを逆拡散し位相推定値を求め同期検波を行う場合に、所望チャネルのフィンガ割り当てパスの位相推定値の信頼度は考慮されていないので、３ＧＰＰ（3rd Generation Partnership Project）のＷ−ＣＤＭＡ ＦＤＤシステムでは、受信性能が劣化することが考えられる。
【０００４】
即ち、３ＧＰＰのＷ−ＣＤＭＡ  ＦＤＤシステムで規定されているトラヒックチャネルであるＤＰＣＨ（Dedicated Physical Channel：専用物理チャネル）では、ビームフォーミング（Beam Forming）送信の適用が許されているので、あるセルからビームフォーミング送信されるＤＰＣＨと、別のセルからビームフォーミング送信されないＤＰＣＨやＣＰＩＣＨ（Common Pilot Channel：共通パイロットチャネル）などの制御チャネルが混在して受信される。
【０００５】
ビームフォーミング送信されるＤＰＣＨは、ビームフォーミング送信されないＣＰＩＣＨとは伝搬路が異なるので、受信に際してＣＰＩＣＨを基準とすることができず、ＤＰＣＨに挿入されているパイロット部（以下「Ｄｅｄｉｃａｔｅｄ  ｐｉｌｏｔ」と記す）を基準とする必要がある。
【０００６】
すなわち、前記パス選択方法では、ビームフォーミング送信非適用のセルはパイロットチャネルであるＣＰＩＣＨを用いて遅延プロファイルを作成し、ビームフォーミング送信適用のセルはＤｅｄｉｃａｔｅｄ  ｐｉｌｏｔを用いて遅延プロファイル作成を行い、各遅延プロファイルの上位パスからフィンガ割り当てパスを選択する。その後、同期検波を行う際、ビームフォーミング送信非適用のセルから選択されたパスではＣＰＩＣＨを用いて位相推定値を求めるのに対し、ビームフォーミング送信適用のセルから選択されたパスではＤｅｄｉｃａｔｅｄ  ｐｉｌｏｔを用いて位相推定値を求めなければならない。
【０００７】
一般的に、ＣＰＩＣＨの送信電力はＤＰＣＨに比べて大きく、また位相推定を行うために使用できるシンボル数が多いので、位相推定値の信頼度についてはＣＰＩＣＨの方が高い。よって、仮にパス選択時に、ビームフォーミング送信適用のセルの遅延プロファイル（Ｄｅｄｉｃａｔｅｄ  ｐｉｌｏｔ利用）から求めるパス電力レベルがビームフォーミング送信非適用のセルの遅延プロファイル（ＣＰＩＣＨ利用）から求めるパス電力レベルより同等以上でありフィンガ割り当てパスとして選択されたとしても、位相推定値の精度が良くないため、受信性能が劣化するという問題がある。
【０００８】
本発明は、かかる点に鑑みてなされたものであり、所望チャネル（ＤＰＣＨ）の受信性能を向上させることができるパス選択装置及びパス選択方法を提供することを目的とする。
【課題を解決するための手段】
【０００９】
かかる課題を解決するため、本発明のパス選択装置は、セル毎に遅延プロファイルを作成する手段と、前記作成された各セルの遅延プロファイルから上位パスを検出する手段と、所望チャネルを復調した時に得られる受信性能を考慮し前記各セルの遅延プロファイルから検出された上位パスの電力レベルに加算するオフセットを算出し加算する手段と、前記オフセット加算後の上位パスからフィンガ割り当てパスを選択する手段とを具備する構成を採る。
【００１０】
この構成によれば、各セルから受信する所望チャネルの受信性能がより良くなるセルのパス電力レベルに対してオフセットを設けるので、より見かけのパス電力レベルを大きくすることができる。したがって、パス選択手段においてフィンガ割り当てパスとして選択されやすくなり、選択されたパスを用いて復調される所望チャネルの受信性能の向上をはかることができる。
【００１１】
本発明のパス選択装置は、上記の発明において、前記オフセットを算出し加算する手段は、各セルから受信する所望チャネルの同期検波に用いる位相推定値の信頼度に基づいて前記各セルの遅延プロファイルから検出される上位パスの電力レベルに加算するオフセットを算出し加算する構成を採る。
【００１２】
この構成によれば、各セルから受信する所望チャネルの同期検波のために算出される位相推定値の信頼度を考慮することにより、選択されたパスを用いて復調される所望チャネルの受信性能の向上をはかることができる。
【００１３】
本発明のパス選択装置は、上記の発明において、前記オフセットを算出し加算する手段は、各セルから受信するパイロットチャネルと所望チャネルの受信電力レベル比に基づいて前記各セルの遅延プロファイルから検出される上位パスの電力レベルに加算するオフセットを算出し加算する構成を採る。
【００１４】
この構成によれば、パイロットチャネルと所望チャネルの受信電力レベル比を考慮することにより、選択されたパスを用いて復調される所望チャネルの受信性能の向上をはかるができる。
【００１５】
本発明の通信端末装置は、上記いずれかのパス選択装置を具備する構成を採る。また、本発明の基地局装置は、上記いずれかのパス選択装置を具備する構成を採る。
【００１６】
これらの構成によれば、各セルから受信する所望チャネルの受信性能がより良くなるセルのパス電力レベルに対してオフセットを設けるので、より見かけのパス電力レベルを大きくすることができる。したがって、パス選択手段においてフィンガ割り当てパスとして選択されやすくなり、選択されたパスを用いて復調される所望チャネルの受信性能の向上をはかることができる。
【００１７】
本発明のパス選択方法は、セル毎に遅延プロファイルを作成する工程と、前記作成された各セルの遅延プロファイルから上位パスを検出する工程と、所望チャネルを復調した時に得られる受信性能を考慮し前記各セルの遅延プロファイルから検出された上位パスの電力レベルに加算するオフセットを算出し加算する工程と、前記オフセットを加算後各セルの上位パスからフィンガ割り当てパスを選択する工程とを具備するようにした。
【００１８】
この方法によれば、各セルから受信する所望チャネルの受信性能がより良くなるセルのパス電力レベルに対してオフセットを設けるので、より見かけのパス電力レベルを大きくすることができる。したがって、パス選択手段においてフィンガ割り当てパスとして選択されやすくなり、選択されたパスを用いて復調される所望チャネルの受信性能の向上をはかることができる。
【００１９】
本発明のパス選択方法は、上記の発明において、前記オフセットを算出し加算する工程では、各セルから受信する所望チャネルの同期検波に用いる位相推定値の信頼度に基づいて前記各セルの遅延プロファイルから検出される上位パスの電力レベルに加算するオフセットを算出し加算するようにした。
【００２０】
この方法によれば、各セルから受信する所望チャネルの同期検波のために算出する位相推定値の信頼度を考慮することにより、選択されたパスを用いて復調される所望チャネルの受信性能の向上をはかるができる。
【００２１】
本発明のパス選択方法は、上記の発明において、前記オフセットを算出し加算する工程では、各セルから受信するパイロットチャネルと所望チャネルの受信電力レベル比に基づいて前記各セルの遅延プロファイルから検出される上位パスの電力レベルに加算するオフセットを算出し加算するようにした。
【００２２】
この方法によれば、パイロットチャネルと所望チャネルの受信電力レベル比を考慮することにより、選択されたパスを用いて復調される所望チャネルの受信性能の向上をはかるができる。
【発明の効果】
【００２３】
本発明によれば、各セルの上位パスからフィンガ割り当てパスを選択する前に、所望チャネルを復調した時に得られる受信性能を考慮して各セルの遅延プロファイルから検出される上位パスの電力レベルに加算するオフセットを算出して加算し、より良い受信性能を得ることができる所望チャネルを送信するセルのパス電力レベルを見かけ上大きくしてパス選択されやすくしたので、所望チャネルの受信性能をより向上させることができる。
【発明を実施するための最良の形態】
【００２４】
本発明の骨子は、各セルの上位パスからフィンガ割り当てパスを選択する前に、所望チャネルを復調した時に得られる受信性能を考慮して各セルの遅延プロファイルから検出される上位パスの電力レベルに加算するオフセットを算出して加算し、より良い受信性能を得ることができる所望チャネルを送信するセルのパス電力レベルを見かけ上大きくしてパス選択されやすくすることにより、３ＧＰＰのＷ−ＣＤＭＡ  ＦＤＤシステムにて規定されているビームフォーミング送信が適用されるセルが混在する場合においても、所望チャネルの受信性能を高めることである。
【００２５】
以下、本発明の実施の形態について図面を参照して詳細に説明する。
【００２６】
（実施の形態１）
図１は、本発明の実施の形態１に係るパス選択装置を備える受信機の構成を示すブロック図である。図１に示す受信機は、受信信号がそれぞれ入力されるパス選択装置１００と復調装置１０６とを備えている。パス選択装置１００は、遅延プロファイル作成部１０１と、上位パス検出部１０２と、オフセット加算部１０３と、パス選択部１０４と、オフセット算出部１０５とを備えている。また、復調装置１０６は、フィンガ部１０７と、Ｒａｋｅ合成部１０８とを備え、フィンガ部１０７は、ＣＰＩＣＨ逆拡散部１０９と、ＤＰＣＨ逆拡散部１１０と、同期検波部１１１とを備えている。
【００２７】
パス選択装置１００では、遅延プロファイル作成部１０１にて受信信号からセル毎の遅延プロファイルが作成され、上位パス検出部１０２に出力される。上位パス検出部１０２では、遅延プロファイル作成部１０１にて作成された各セルの遅延プロファイルから上位パスが検出され、オフセット加算部１０３に出力される。オフセット加算部１０３では、上位パス検出部１０２にて検出された上位パスの電力レベルに対して、オフセット算出部１０５からのオフセットが加算され、パス選択部１０４に出力される。パス選択部１０４では、オフセット加算部１０３にてオフセットが加算された各セルの上位パスからフィンガ割り当てパスが選択され、復調装置１０６のＣＰＩＣＨ逆拡散部１０９とＤＰＣＨ逆拡散部１１０とに出力される。オフセット算出部１０５では、復調装置１０６の同期検波部１１１から入力される位相推定値の信頼度から各セルの上位パスの電力レベルに対して加えるオフセットを算出しオフセット加算部１０３に出力される。
【００２８】
また、復調装置１０６におけるフィンガ部１０７では、ＣＰＩＣＨ逆拡散部１０９にて
受信信号とパス選択部１０４からのフィンガ割り当てパスとに基づきパイロットチャネルであるＣＰＩＣＨが逆拡散され、同期検波部１１１に出力される。また、ＤＰＣＨ逆拡散部１１０にて受信信号とパス選択部１０４からのフィンガ割り当てパスとに基づき所望チャネルであるＤＰＣＨが逆拡散され、同期検波部１１１に出力される。同期検波部１１１では、ＣＰＩＣＨ逆拡散部１０９とＤＰＣＨ逆拡散部１１０の各出力について位相推定値を算出して伝搬路変動を補正し、それぞれＲａｋｅ合成部１０８に出力される。同時にオフセット算出部１０５に対して各セルから受信する所望チャネルであるＤＰＣＨの同期検波に用いる位相推定値およびパイロットチャネルであるＣＰＩＣＨの各信頼度が出力される。なお、フィンガ部１０７は、Ｒａｋｅ合成に用いるフィンガ数（例えばＮ）の数だけ用意される。
【００２９】
次に、図１〜図３を参照して、以上のように構成される受信機におけるパス選択装置の動作について説明する。なお、図２は、図１に示すオフセット加算部での加算前の各セルの上位パス電力レベルを表す図である。図３は、図１に示すオフセット加算部での加算後の各セルの上位パス電力レベルを表す図である。
【００３０】
ここで、本実施の形態１では、図２、図３に示すように、セル＃１とセル＃２と通信を行っている。そして、セル＃１はビームフォーミング送信を行っておらずＣＰＩＣＨを用いてパス検出や同期検波を行う対象である。一方、セル＃２はビームフォーミング送信を行っておりＤｅｄｉｃａｔｅｄ  ｐｉｌｏｔを用いてパス検出や同期検波を行う対象であるとする。また、上位パス検出部１０２にてセル＃１及びセル＃２の遅延プロファイルから検出される上位パスは、それぞれ１本ずつ事前にフィンガ部１０７に割り当てられているとする。
【００３１】
さて、フィンガ部１０７に割り当てられるセル＃１のパスはＣＰＩＣＨ逆拡散部１０９にてＣＰＩＣＨの逆拡散が行われる。また、フィンガ部１０７に割り当てられるセル＃２のパスはＤＰＣＨ逆拡散部１１０にてＤＰＣＨの逆拡散が行われる。そして、同期検波部１１１にて、セル＃１のパスにおける位相推定値が逆拡散後のＣＰＩＣＨを用いて算出され、セル＃２のパスにおける位相推定値が逆拡散後のＤｅｄｉｃａｔｅｄ  ｐｉｌｏｔを用いて算出され、それぞれオフセット算出部１０５に出力される。
【００３２】
オフセット算出部１０５では、同期検波部１１１がセル＃１のパスから算出した位相推定値のＳＮ比とセル＃２のパスから算出した位相推定値のＳＮ比との比（＝ｍ：ｎ）が求められ、その比（＝ｍ：ｎ）から同期検波部１１１がセル＃１のパスから算出した位相推定値の信頼度ｘ（＝ｍ）及びセル＃２のパスから算出した位相推定値の信頼度ｙ（＝ｎ）が求められ、その信頼度ｘ（＝ｍ）及び信頼度ｙ（＝ｎ）を元に、セル＃１の上位パスに追加するオフセット値Ｉ（＝Ｚ＊ｘ）及びセル＃２の上位パスに追加するオフセット値Ｊ（＝Ｚ＊ｙ）が算出されオフセット加算部１０３に出力される。ここで、ｘ＞ｙであり、Ｚは基本電力レベルを表し、各フィンガに割り当てられたパスの電力レベルの平均値とする。
【００３３】
一方、遅延プロファイル作成部１０１では、受信信号からセル＃１とセル＃２それぞれの遅延プロファイルが作成される。上位パス検出部１０２では、遅延プロファイル作成部１０１にて作成された各セルの遅延プロファイルから上位パスが検出される。その後、上位パス検出部１０２では、両セルのパスの電力レベルを比較できるように調整し、図２に示すセル＃１の上位パスの電力レベル２０１（＝Ａ）及びセル＃２の上位パスの電力レベル２０２（＝Ｂ）を得てオフセット加算部１０３に出力される。なお、電力レベルの調整方法としては、例えば拡散率や遅延プロファイル作成時の平均化回数を考慮して調整を行う方法がある。
【００３４】
オフセット加算部１０３では、図３に示すように、オフセット算出部１０５にて算出されたセル＃１の上位パスに加算するオフセット値３０１（＝Ｉ）及びセル＃２の上位パスに加算するオフセット値３０２（＝Ｊ）が上位パス検出部１０２から得た上位パスの電力レベル２０１、２０２に加算され、セル＃１の割り当て判定用パス電力レベル３０３（＝Ａ＋Ｉ）及びセル＃２の割り当て判定用パス電力レベル３０４（＝Ｂ＋Ｊ）が算出され、パス選択部１０４に出力される。
【００３５】
割り当てるフィンガが１本であるとすると、パス選択部１０４にて割り当て判定用パス電力レベルが最も大きいセル＃１の割り当て判定用パス電力レベル３０３が選択され、フィンガ部１０７に割り当てられる。その後、ＤＰＣＨ逆拡散部１１０にて逆拡散後のＤＰＣＨが得られ、同期検波部１１１にて伝搬路変動が補正され、Ｒａｋｅ合成部１０８にて各フィンガ割り当てパスを用いて得られるＤＰＣＨ信号が合成される。
【００３６】
このように、実施の形態１によれば、各セルの上位パスからフィンガ割り当てパスを選択する前に、所望チャネルを復調した時に得られる受信性能である各セルから受信する所望チャネルであるＤＰＣＨの同期検波に用いる位相推定値の信頼度を考慮して各セルの遅延プロファイルから検出される上位パスの電力レベルに加算するオフセットを求め、そのオフセットを加算した後の電力レベルの大きなパスを選択するようにし、各セルから受信する所望チャネルであるＤＰＣＨの見かけのパス電力レベルを大きくしてフィンガ割り当てパスとして選択されやすくしたので、所望チャネルであるＤＰＣＨの受信性能の向上を図ることができる。
【００３７】
なお、各セルの遅延プロファイルから検出される上位パスの電力レベルに加算するオフセットの算出方法として、本実施の形態１では、位相推定値のＳＮ比から算出した信頼度を元に算出する例について説明したが、オフセット算出方法はこれに限られるものではなく、その他、例えば、各セルの遅延プロファイルから求まるＳＮ比から算出する信頼度を元にオフセットを算出する方法や、拡散率や遅延プロファイル作成時の平均化回数などを考慮した調整を含めた算出方法も同様に実施可能である。
【００３８】
（実施の形態２）
図４は、本発明の実施の形態２に係るパス選択装置を備える受信機の構成を示すブロック図である。本実施の形態２では、実施の形態１とは異なる方法でオフセットを算出する構成例が示されている。なお、図４では、図１に示した構成要素と同一ないしは同等である構成には同一の符号が付されている。ここでは、本実施の形態２に関わる部分を中心に説明する。
【００３９】
即ち、図４に示すように、本実施の形態２では、図１に示した構成において、パス選択装置１００に代えてパス選択装置４００が設けられている。パス選択装置４００では、受信電力レベル比算出部４０１とオフセット算出部４０２が設けられている。
【００４０】
受信電力レベル比算出部４０１では、ＣＰＩＣＨ逆拡散部１０９が出力する各セルから受信するパイロットチャネルであるＣＰＩＣＨの受信電力レベルと、ＤＰＣＨ逆拡散部１１０が出力する各セルから受信する所望チャネルであるＤＰＣＨの受信電力レベルとの比を算出し、オフセット算出部４０２に与える。
【００４１】
オフセット算出部４０２は、受信電力レベル比算出部４０１から受け取ったＣＰＩＣＨとＤＰＣＨの受信電力レベル比から、各セルの遅延プロファイルから検出される上位パスの電力レベルに対して加えるオフセットを算出し、オフセット加算部１０３に与える。
【００４２】
次に、図４〜図６を参照して、以上のように構成される受信機におけるパス選択装置の動作について説明する。なお、図５は、図４に示す受信電力レベル比算出部４０１での受信電力レベル比算出動作を説明する図である。図６は、図４に示すオフセット加算部１０３での加算後の各セルの上位パス電力レベルを表す図である。
【００４３】
ここで、本実施の形態２では、図５、図６に示すように、セル＃１とセル＃２と通信を行っている。そして、セル＃１、セル＃２ともにＣＰＩＣＨを用いてパス検出や同期検波を行うものとする。また、上位パス検出部１０２にてセル＃１及びセル＃２の遅延プロファイルから検出される上位パスは、それぞれ１本ずつ事前にフィンガ部１０７に割り当てられているとする。
【００４４】
さて、フィンガ部１０７に割り当てられるセル＃１、セル＃２のパスは、共に、ＣＰＩＣＨ逆拡散部１０９にてＣＰＩＣＨの逆拡散が行われ、ＤＰＣＨ逆拡散部１１０にてＤＰＣＨの逆拡散が行われ、それぞれの受信電力レベルが受信電力レベル比算出部４０１に出力される。
【００４５】
受信電力レベル比算出部４０１では、図５に示すように、セル＃１について、逆拡散後のＣＰＩＣＨの受信電力レベル５０１（＝Ｃ）と逆拡散後のＤＰＣＨの受信電力レベル５０２（＝Ｄ）との受信電力レベル比ｐ（＝Ｄ／Ｃ）が求められ、オフセット算出部４０２に出力される。また、セル＃２について、逆拡散後のＣＰＩＣＨの受信電力レベル５０３（＝Ｅ）と逆拡散後のＤＰＣＨの受信電力レベル５０４（＝Ｆ）との受信電力レベル比ｑ（＝Ｆ／Ｅ）が求められ、オフセット算出部４０２に出力される。
【００４６】
オフセット算出部４０２では、受信電力レベル比算出部４０１から受け取ったセル＃１とセル＃２との逆拡散後のＣＰＩＣＨ信号とＤＰＣＨ信号の受信電力レベル比ｐ及びｑを元にセル＃１の上位パスに追加するオフセット値Ｐ（＝Ｖ＊ｐ）及びセル＃２の上位パスに追加するオフセット値Ｑ（＝Ｖ＊ｑ）が算出され、オフセット加算部１０３に出力される。
【００４７】
ここで、基本電力レベル（＝Ｖ）は、各セルのＣＰＩＣＨの受信電力レベルの平均値とする。
【００４８】
一方、遅延プロファイル作成部１０１では、受信信号からセル＃１とセル＃２それぞれの遅延プロファイルが作成される。上位パス検出部１０２では、遅延プロファイル作成部１０１にて作成された各セルの遅延プロファイルから上位パスが検出される。その後、上位パス検出部１０２では、両セルのパスの電力レベルを比較できるように調整し、図６に示すセル＃１の上位パス６０１（＝Ｇ）及びセル＃２の上位パス６０２（＝Ｈ）を得てオフセット加算部１０３に出力される。
【００４９】
オフセット加算部１０３では、図６に示すように、オフセット算出部４０２にて算出されたセル＃１の上位パスに加算するオフセット値６０３（＝Ｐ）及びセル＃２の上位パスに加算するオフセット値６０４（＝Ｑ）がセル＃１の上位パス６０１（＝Ｇ）及びセル＃２の上位パス６０２（＝Ｈ）に加算され、セル＃１の割り当て判定用パス電力レベル６０５（＝Ｇ＋Ｐ）及びセル＃２の割り当て判定用パス電力レベル６０６（＝Ｈ＋Ｑ）が算出され、パス選択部１０４に出力される。
【００５０】
割り当てるフィンガが１本であるとすると、パス選択部１０４にて割り当て判定用パス電力レベルの最も大きいセル＃１の割り当て判定用パス電力レベル６０５が選択され、フィンガ部１０７に割り当てられる。その後、ＤＰＣＨ逆拡散部１１０にて逆拡散後のＤＰＣＨが得られ、同期検波部１１１にて伝搬路変動が補正され、Ｒａｋｅ合成部１０８にて各フィンガ割り当てパスを用いて得られるＤＰＣＨが合成される。
【００５１】
このように、実施の形態２によれば、各セルの上位パスからフィンガ割り当てパスを選択する前に、所望チャネルを復調した時に得られる受信性能である各セルから受信するパイロットチャネルであるＣＰＩＣＨ及び所望チャネルであるＤＰＣＨの受信電力レベル比を考慮して各セルの遅延プロファイルから検出される上位パスの電力レベルに加算するオフセットを求め、そのオフセットを加算した後の電力レベルの大きなパスを選択するようにし、各セルから受信する所望チャネルであるＤＰＣＨの見かけのパス電力レベルを大きくしてフィンガ割り当てパスとして選択されやすくしたので、所望チャネルであるＤＰＣＨの受信性能の向上を図ることができる。
【００５２】
なお、実施の形態２では、各セルから受信するパイロットチャネルであるＣＰＩＣＨと所望チャネルであるＤＰＣＨの受信電力レベル比をパス選択装置内で算出しているが、基地局装置からＣＰＩＣＨとＤＰＣＨの送信電力レベル比をシグナリングされることによって、そのシグナリングに基づいてオフセット値を算出し、加算することも同様に実施可能である。
【００５３】
また、各実施の形態では、各セルの上位パスにオフセット加算を行っているが、片方のセルだけにオフセットを加算することも同様に実施可能であり、同様な効果を得ることができる。
【００５４】
さらに、各実施の形態では、基本電力レベル（＝Ｚ及びＶ）に対して位相推定値の信頼度や受信電力レベル比を積算してオフセットを算出しているが、逆拡散後のパイロットチャネルや所望チャネルの受信電力レベルに対して積算してオフセットを算出するとうにしても良い。
【産業上の利用可能性】
【００５５】
本発明は、所望チャネルの受信性能を向上させるのに好適なパス選択装置及びパス選択方法である。
【図面の簡単な説明】
【００５６】
【図１】本発明の実施の形態１に係るパス選択装置を備える受信機の構成を示すブロック図
【図２】図１に示すオフセット加算部でのオフセット加算前の各セルの上位パス電力レベルを表す図
【図３】図１に示すオフセット加算部でのオフセット加算後の各セルの上位パス電力レベルを表す図
【図４】本発明の実施の形態２に係るパス選択装置を備える受信機の構成を示すブロック図
【図５】図４に示す受信電力レベル比算出部４０１での受信電力レベル比算出動作を説明する図
【図６】図４に示すオフセット加算部でのオフセット加算後の各セルの上位パス電力レベルを表す図
【符号の説明】
【００５７】
１００、４００  パス選択装置
１０１  遅延プロファイル作成部
１０２  上位パス検出部
１０３  オフセット加算部
１０４  パス選択部
１０５、４０２  オフセット算出部
１０６  復調装置
１０７  フィンガ部
１０８  Ｒａｋｅ合成部
１０９  ＣＰＩＣＨ逆拡散部
１１０  ＤＰＣＨ逆拡散部
１１１  同期検波部
４０１  受信電力レベル比算出部
【図１】
2005333216.tif 000003
【図２】
2005333216.tif 000004
【図３】
2005333216.tif 000005
【図４】
2005333216.tif 000006
【図５】
2005333216.tif 000007
【図６】
2005333216.tif 000008